(57)【要約】圧縮機ユニットは、一又は複数の圧縮機インペラー（３）を備えたローター（２）を有するガス圧縮用の遠心圧縮機（１）と、圧縮機のローター（２）を駆動するためのステーター（５）及びローター（６）を有する電気モーター（４）とからなる。圧縮機及び電気モーターは、ガス取入口（８）とガス排出口（９）とを備えた共通の気密性ハウジング（７）内に収容されている。圧縮機のローター及び電気モーターのローターは、磁気軸受（１１，１２，１５）で支持される共通のローター軸（１０）上に配置されている。ローター軸（１０）は、シングルユニットで構成され、共通のローター軸の端部付近のそれぞれにおいて配置される二つのラジアル磁気軸受（１１，１２）、及びラジアル軸受の一方（１１）付近に配置される一つのアキシャル磁気軸受（１５）により支持されている。
2004527693.tif 000002
【特許請求の範囲】
【請求項１】
一又は複数の圧縮機インペラーを備えたローターを有するガス圧縮用の遠心圧縮機と、前記圧縮機のローターを駆動するためのステーター及びローターを有する電気モーターとを備え、前記圧縮機及び前記電気モーターは、ガス取入口とガス排出口とを備えた共通の気密性ハウジング内に収容され、前記圧縮機のローター及び前記電気モーターのローターは、磁気軸受で支持される共通のローター軸上に配置されている圧縮ユニットであって、
前記ローター軸は、シングルユニットで構成され、前記共通のローター軸の端部付近のそれぞれにおいて配置される二つのラジアル磁気軸受、及び前記ラジアル軸受の一方付近に配置される一つのアキシャル磁気軸受により支持されていることを特徴とする圧縮ユニット。
【請求項２】
前記ローター軸が直立して配置されている請求項１に記載の圧縮ユニット。
【請求項３】
一又は複数の前記圧縮機インペラーが、前記ローター軸の一体化された部分である請求項１又は２に記載の圧縮ユニット。
【請求項４】
前記磁気軸受と前記電気モーターとを冷却する冷却システムを備えている請求項１から３のいずれかに記載の圧縮ユニット。
【請求項５】
前記磁気軸受を冷却するために、前記圧縮機から前記磁気軸受へガスを移送することを目的として、前記圧縮機から前記磁気軸受へ延びるラインを備えている請求項４に記載の圧縮ユニット。
【請求項６】
前記電気モーターを冷却するために、前記圧縮機から前記電気モーターへガスを移送することを目的として、前記圧縮機から前記電気モーターへ延びるラインを備えている請求項４又は５に記載の圧縮ユニット。
【請求項７】
前記圧縮機から前記磁気軸受および／または前記電気モーターにつながる一又は複数のラインに、フィルタが組み込まれている請求項５又は６に記載の圧縮ユニット。
【請求項８】
前記電気モーターの前記ステーターは、別個の冷媒によって前記ステーターを冷却するための専用の冷却システムを備えている請求項４又は５に記載の圧縮ユニット。
【請求項９】
前記電気モーターの前記ステーターは、ステーター室に収容されており、前記ステーター室は、圧縮ユニットの内側の残りの部分から隔離されており、前記ステーター及び仕切壁を取り囲む圧縮ユニットの前記ハウジングの壁のセクションによって区切られており、前記仕切壁は、前記壁のセクションに隣接し、前記ステーターの両側で半径方向に延び、また、前記電気モーターの前記ステーターと前記ローターとの間にも延びている請求項８に記載の圧縮ユニット。
【請求項１０】
前記ステーター室は、前記別個の冷媒を供給及び吐出するための接合部を備えている請求項９に記載の圧縮ユニット。
【請求項１１】
前記ステーター室の壁は、圧縮ユニットの設計圧力に耐えることができるように設計されている請求項９又は１０に記載の圧縮ユニット。
【請求項１２】
少なくとも、前記電気モーターの前記ステーターと前記ローターとの間に延びる前記ステーター室の前記仕切壁の一部分は薄肉の設計であり、前記ステーター室は、前記電気モーターの前記ステーターの前記冷却システムが前記圧縮ユニットの設計圧力に全体が耐えることができるように、冷却液で完全に満たされ閉じた冷却回路に組み込まれている請求項９又は１０に記載の圧縮ユニット。
【発明の詳細な説明】
【技術分野】
【０００１】
本発明は、一又は複数の圧縮機インペラーを備えたローターを有するガス圧縮用の遠心圧縮機と、圧縮機のローターを駆動するためのステーター及びローターを有する電気モーターとを備え、圧縮機と電気モーターとは、ガス取入口とガス排出口を備えた共通の気密性ハウジング内に収容され、圧縮機のローターと電気モーターのローターは、磁気軸受で支持される共通のローター軸上に配置されている圧縮ユニットに関する。
【背景技術】
【０００２】
このタイプの圧縮ユニットは、例えば、WO-A-94/29597及びEP-A 1 074 746に開示されているものが知られている。
【０００３】
WO-A 94/29597から知られている圧縮ユニットにおいては、圧縮機インペラーは、電気モーターの両側に配置されている。 ローター軸は、電気モーターと圧縮機インペラーとの間にそれぞれ配置される2つのラジアル磁気軸受と、同様に電気モーターと一方の圧縮機インペラーとの間に配置されているアキシャル磁気軸受とで支持されている。
【０００４】
EP-A 1 074 746の特に図２から知られている圧縮ユニットにおいては、圧縮機インペラーは電気モーターの片側に配置されている。ローター軸は、連結器によって互いに連結される二つの部分から構成される。ローター軸は、ローター軸の両端部、及び電気モーターと遠心圧縮機との間に配置される３つのラジアル磁気軸受と、電気モーターと遠心圧縮機との間に配置される一つのアキシャル磁気軸受とで支持されている。
【発明の開示】
【発明が解決しようとする課題】
【０００５】
本発明の目的は、小型設計とすることができ、かつ、軸受は圧縮ユニットのハウジングを取り外す必要なく容易にアクセス可能となるように、序文で述べられた圧縮ユニットに対して改良された圧縮ユニットを提供することである。
【課題を解決するための手段】
【０００６】
この目的は、ローター軸が、シングルユニットから構成され、共通ローター軸の一端付近にそれぞれ配置される二つのラジアル磁気軸受、及び、一方のラジアル軸受の付近に配置される一つのアキシャル磁気軸受にて支持されることによって達成される。
【０００７】
本発明に係る圧縮ユニットの好適な実施形態は従属項で明らかにされる。
【発明を実施するための最良の形態】
【０００８】
以下、添付図面を参照し、本発明に係る圧縮ユニットのいくつかの実施形態をより詳細に説明する。
【０００９】
図１に示される圧縮ユニットは、例えば、プロセスガスなどのガスを圧縮するために、一又は複数（本実施形態では３つ）の圧縮機インペラー３を有する遠心圧縮機１と、圧縮機のローター２を駆動するためのステーター５とローター６を有する電気モーター４とから構成される。圧縮機１と電気モーター４は、ガス取入口８とガス排出口９とを備えた共通の気密性ハウジング７に収容されている。ハウジング７は、従来の方法で分割され、互いに固定して接続される複数の部分から成る。
【００１０】
圧縮機１のローター２と電気モーター４のローター６はシングルユニットからなる共通のローター軸１０上に配置される。ローター軸１０は、ローター軸の端部付近１３，１４にそれぞれ配置されるラジアル磁気軸受１１，１２及びラジアル軸受１１の付近に配置される一つのアキシャル磁気軸受１５により支持される。ローター軸１０は電気モーター４と遠心圧縮機１との間では支持されていない。磁気軸受１１，１２、１５は、一般的に電磁気軸受である。
【００１１】
シングルユニットからなるローター軸を備え、ローター軸の両端部付近にのみ軸受を配置する圧縮ユニットの設計は、圧縮ユニットが小型の構造のものにできること、及び軸受が圧縮ユニットのハウジングを取り外すことなく、容易に修理されることを意味する。
【００１２】
圧縮ユニットは、直立して配置されるのが好ましい。これにより、ラジアル軸受１１，１２は単にローター軸の中心に配置する必要があるに過ぎないため、特にラジアル軸受１１、１２を比較的軽量な設計とすることができるという利点を有する。
【００１３】
圧縮機インペラーによって作り出されるローター軸上の軸方向力が、重力と反対の方向に作用するようにできるのなら、アキシャル軸受も同様に、比較的軽量な設計とすることができる。
【００１４】
ローター軸の直立した配置は、圧縮ユニットが水平方向において、比較的ほとんど場所を取らないという利点を更に有する。
【００１５】
ローター軸を水平に配置することも可能であることは当然である。しかしながら、圧縮ユニットの設計や特に軸受の設計は、この配置に適合したものとする必要がある。
【００１６】
圧縮機インペラー３は、ローター軸１０の一体化された部分であることが有利である。このことは、例えば、熱収縮によって、個々の圧縮機インペラーが軸上に取り付けられている従来の設計と相違する。圧縮機インペラーとローター軸とが、シングルユニットから作られるのなら、ローター軸の一部分がすでに一体化されているインペラー素材の個々の部品（インペラーシャフトセグメント）は互いに溶接される。互いに堅く結びつけられたインペラーシャフトセグメントは、基本的な圧縮機ローターを形成し、最終的な圧縮機ローターを形成するためには、それをさらに処理する必要がある。同様に、電気モーター４のローター６は、ローター軸の一体化された部分であることが好ましい。
【００１７】
圧縮ユニットは、磁気軸受１１，１２，１５と電気モーター４とを冷却する冷却システムを備えている。この冷却システムは、圧縮機から延びるライン１６、電気モーター４に向かって分岐するライン１７、及び磁気軸受１１，１２，１５へ延びるライン１８，１９からなる。フィルター２０は、圧縮機から延びるライン１６に組み込まれている。電気モーター４と磁気軸受１１，１２，１５を冷却するため、圧縮機の中間段階において出された圧縮ガスが、ライン１６とフィルター２０を通過し、ライン１７，１８，１９経由で電気モーター４のステーター５に、ライン１８，１９経由で磁気軸受１１，１５，１２に定量的に供給される。冷却用ガスは圧縮ユニットの内部で再び集められ、圧縮機の吸気部へ導かれる。
【００１８】
図２は、本発明に係る圧縮ユニットに若干の変更を加えた実施形態を示す。この実施形態は、電気モーター４のステーター５が専用冷却システムを有する点において、図１において示される実施形態と異なる。このことは、圧縮されたガス中において生じ得るいくつかの攻撃的要素によって、電気モーターのステーター５が受ける影響を防ぐ。
【００１９】
磁気軸受１１，１２，１５用の冷却システムは、他の点において、図１において示される実施形態の磁気軸受１１，１２，１５用の冷却システムと同一である。
【００２０】
電気モーター４のステーター５は、ステーター室２１に組み込まれており、このステーター室２１は、圧縮ユニット内部の残りの部分から隔離されており、ステーター５と仕切壁２２とを取り囲む圧縮ユニットのハウジング７の壁のセクションによって区切られており、仕切壁２２は、この壁のセクションに隣接し、ステーター５の両側で半径方向に延び、また、電気モーター４のステーター５とローター６との間にも延びている。この仕切壁２２は缶としても知られている。ステーター室２１は、ポンプ２５によって冷却回路２６の中において循環する別個の冷媒のための、供給部２３および吐出部２４を備えている。熱交換器２７は、冷却回路２６に組み込まれている。
【００２１】
仕切壁（缶）２２は二通りの方法で設計され得る。
【００２２】
仕切壁２２は、ステーター室２１の壁が圧縮機の設計圧力に耐えることができるように設計され得る。
【００２３】
仕切壁２２のその他の実施形態では、少なくとも、電気モーター４のステーター5とローター6との間に伸びる仕切壁２２の一部分は、薄肉の設計である。ステーター室は、電気モーター4のステーター5の冷却システムが圧縮ユニットの設計圧力に全体が耐えることができるように、冷却液で完全に満たされ閉じた冷却回路に組み込まれる。
この設計原理は、薄肉の仕切壁２２及び低い圧縮率の冷媒に適合する組み合せに基づくものである。
【００２４】
ステーター５とローター６との間の領域において、仕切壁２２が薄肉設計である後者の実施形態の利点は、渦電流損失を減じつつ、モーターの単位面積当たりについて、より大きな出力を得ることができるということである。
【図面の簡単な説明】
【００２５】
【図１】本発明に係る圧縮ユニットの第１の実施形態を示す概略図である。
【図２】本発明に係る圧縮ユニットの第２の実施形態を示す概略図である。
【国際公開パンフレット】
2004527693.tif 000003
2004527693.tif 000004
2004527693.tif 000005
2004527693.tif 000006
2004527693.tif 000007
2004527693.tif 000008
2004527693.tif 000009
2004527693.tif 000010
2004527693.tif 000011
2004527693.tif 000012
2004527693.tif 000013
【国際調査報告】
2004527693.tif 000014
2004527693.tif 000015